(57)【要約】      （修正有）【課題】環境保護に寄与するように、簡単に分離することができる折畳み式エコ傘を提供する。【解決手段】中棒１０と、前記中棒の上端近傍に設けられる上ろくろ装置２０と、摺動可能に前記中棒に取り付けられ、前記上ろくろ装置と中棒の下端との間にに位置する下ろくろ装置３０と、夫々が前記上ろくろ装置に枢設される親骨末端と、親骨先端と、枢設部材と、該親骨先端に設けられる保持装置とを有する複数の親骨４０と、夫々が、丸主骨末端と、丸主骨先端と、前記保持装置に着脱可能に取り付けられるように該丸主骨末端に枢設けられる枢設装置とを有する複数の丸主骨５０と、夫々が、前記下ろくろ装置に枢設される受け骨末端と、前記枢設部材に枢設される受け骨先端とを有する複数の受け骨６０と、前記中棒の下端に設置される取っ手７０と、前記中棒に固定される中央部と前記複数の丸主骨先端に固定される周縁とを備えると共に、前記複数の親骨及び複数の丸主骨の上部に張設される生布８０とを有することを特徴とする。【選択図】図１
0003154219.tif 000002
【実用新案登録請求の範囲】
【請求項１】
中棒と、
前記中棒の上端近傍に設けられる上ろくろ装置と、
摺動可能に前記中棒に取り付けられ、前記上ろくろ装置と中棒の下端との間にに位置する下ろくろ装置と、
夫々が前記上ろくろ装置に枢設される親骨末端と、親骨先端と、枢設部材と、該親骨先端に設けられる保持装置とを有する複数の親骨と、
夫々が、丸主骨末端と、丸主骨先端と、前記保持装置に着脱可能に取り付けられるように該丸主骨末端に枢設けられる枢設装置とを有する複数の丸主骨と、
夫々が、前記下ろくろ装置に枢設される受け骨末端と、前記枢設部材に枢設される受け骨先端とを有する複数の受け骨と、
前記中棒の下端に設置される取っ手と、
前記中棒に固定される中央部と前記複数の丸主骨先端に固定される周縁とを備えると共に、前記複数の親骨及び複数の丸主骨の上部に張設される生布とを有することを特徴とする折畳み式エコ傘。
【請求項２】
前記保持装置は、２つの保持側壁と、前記生布へ向かうように、該２つの保持側壁の上部に夫々設けられる保持上面と、該２つの保持側壁に夫々貫穿される同軸の保持枢設孔とを備える断面コ字形を呈するものであり、
前記枢設装置は、前記２つの保持側壁の間に挟持される枢設部と、該枢設部の両側に夫々設けられ、前記２つの保持枢設孔に枢設される枢設軸とを有することを特徴とする請求項１に記載の折畳み式エコ傘。
【請求項３】
前記保持上面には、前記生布と親骨とを簡単に着脱できるようにするために、湾曲状の生布固定スリットが凹設されることを特徴とする請求項２に記載の折畳み式エコ傘。
【請求項４】
前記保持装置が前記親骨先端に取り付けられることを特徴とする請求項１乃至請求項３の何れか１項に記載の折畳み式エコ傘。
【請求項５】
前記枢設装置が前記丸主骨末端に取り付けられることを特徴とする請求項１乃至請求項３の何れか１項に記載の折畳み式エコ傘。
【請求項６】
前記保持装置が前記親骨先端と一体に成形されることを特徴とする請求項１乃至請求項３の何れか１項に記載の折畳み式エコ傘。
【請求項７】
前記枢設装置が前記丸主骨末端と一体に成形されることを特徴とする請求項１乃至請求項３の何れか１項に記載の折畳み式エコ傘。
【請求項８】
前記各丸主骨先端に夫々１つの露先が設けられ、
該露先に前記生布の周縁が固定されることを特徴とする請求項１乃至請求項３の何れか１項に記載の折畳み式エコ傘。
【請求項９】
前記保持装置が金属からなることを特徴とする請求項１乃至請求項３の何れか１項に記載の折畳み式エコ傘。
【請求項１０】
前記枢設装置が金属からなることを特徴とする請求項１乃至請求項３の何れか１項に記載の折畳み式エコ傘。
【請求項１１】
前記保持装置が樹脂からなることを特徴とする請求項１乃至請求項３の何れか１項に記載の折畳み式エコ傘。
【請求項１２】
前記枢設装置が樹脂からなることを特徴とする請求項１乃至請求項３の何れか１項に記載の折畳み式エコ傘。
【請求項１３】
前記保持装置がガラス繊維からなることを特徴とする請求項１乃至請求項３の何れか１項に記載の折畳み式エコ傘。
【請求項１４】
前記枢設装置がガラス繊維からなることを特徴とする請求項１乃至請求項３の何れか１項に記載の折畳み式エコ傘。
【請求項１５】
断面が円形でない筒状を呈する中棒と、
上部に形成される固定スロットと、前記中棒に挿入するように延出する延出部とを有する固定ロッドと、
前記延出部と共に前記中棒の内部に挿入されると共に、該中棒の内周壁に対応する形状を有する位置決めスリーブと、
前記固定ロッドの固定スロットに係合されるように延出し、下部に設けられる固定部と、外周壁に凹設され、放射状を呈する複数の嵌入溝と、該複数の嵌入溝の上部に夫々形成される上開口とを有する、円板状を呈する上ろくろ部材と、
中央に中央孔が貫穿され、前記上ろくろ部材の上部を被覆し、前記嵌入溝に枢設される親骨を固定させるように、前記上開口を封止する上ろくろリングと、
前記上ろくろ装置を前記中棒に取り付けるために、前記上ろくろ部材と上ろくろリングとを固定させるように、該上ろくろリングの中央孔を貫通し、該上ろくろ部材の軸心部と結合されるねじ込み軸と、を有する上ろくろ装置とを備えることを特徴とする請求項１乃至請求項３の何れか１項に記載の折畳み式エコ傘。
【請求項１６】
前記上ろくろ部材の軸心部にねじ孔が形成され、該ねじ孔に前記ねじ込み軸が螺入されることを特徴とする請求項１５に記載の折畳み式エコ傘。
【請求項１７】
前記ねじ込み軸が前記上ろくろ部材の軸心部と一体に成形されることを特徴とする請求項１５に記載の折畳み式エコ傘。
【請求項１８】
前記中棒の上端へ向かって延出し、摺動可能に前記中棒に取り付けられる下ろくろスリーブと、複数の位置決め孔を備える掛止面とを有し、摺動可能に前記中棒に取り付けられる係合部材と、
前記掛止面に掛止されるように、前記下ろくろスリーブに取り付けられ、複数の下ろくろ位置決め孔と、外周壁に設けられ、前記複数の受け骨末端を枢設するための複数の枢嵌溝とを備え、円盤状を呈する下ろくろ部材と、
前記下ろくろ部材の下ろくろ位置決め孔と前記掛止面の複数の位置決め孔に挿入される複数の位置決め足を備えると共に、前記下ろくろスリーブに取り付けられる下ろくろ蓋と、を有する下ろくろ装置を備えることを特徴とする請求項１乃至請求項３の何れか１項に記載の折畳み式エコ傘。
【考案の詳細な説明】
【技術分野】
【０００１】
本考案は、特に折畳み式傘に関するものである。
【背景技術】
【０００２】
従来の折畳み式傘は、中棒と、該中棒に設けられる上ろくろ装置及び下ろくろ装置と、該上ろくろ装置に枢設される複数の親骨と、該親骨にリベット接合される複数の丸主骨と、該下ろくろ装置及び親骨に枢設される複数の受け骨と、該中棒の下端に設けられる取っ手と、該中棒及び丸主骨の先端に固定されると共に、該親骨および丸主骨に張設される生布とを有するものである。
【０００３】
前記従来の折畳み式傘は、展開すると、前記親骨と丸主骨が直線状となるが、傘を閉じると、該丸主骨が親骨に対して回転する構成を有する。また、前記親骨と丸主骨は、例えば金属、樹脂またはガラス繊維などの材料からなるものが一般的である。
【考案の概要】
【考案が解決しようとする課題】
【０００４】
しかしながら、前記従来の折畳み式傘を破損などにより廃棄する時は、前記リベット接合される親骨と丸主骨とを簡単に分離させることができないので、異なる材料からなる部分を容易にリサイクルすることができないことから、妥当にリサイクルできない従来の折畳み式傘は、環境を破壊する恐れがあるものである。
【０００５】
そこで、案出されたのが本考案であって、従来の折畳み式エコ傘の欠点を改良し、環境保護に寄与するように、簡単に分離することができる折畳み式エコ傘を提供することを目的としている。
【課題を解決するための手段】
【０００６】
本願の請求項１の考案は、中棒と、
前記中棒の上端近傍に設けられる上ろくろ装置と、
摺動可能に前記中棒に取り付けられ、前記上ろくろ装置と中棒の下端との間に位置する下ろくろ装置と、
夫々が前記上ろくろ装置に枢設される親骨末端と、親骨先端と、枢設部材と、該親骨先端に設けられる保持装置とを有する複数の親骨と、
夫々が、丸主骨末端と、丸主骨先端と、前記保持装置に着脱可能に取り付けられるように該丸主骨末端に枢設けられる枢設装置とを有する複数の丸主骨と、
夫々が、前記下ろくろ装置に枢設される受け骨末端と、前記枢設部材に枢設される受け骨先端とを有する複数の受け骨と、
前記中棒の下端に設置される取っ手と、
前記中棒に固定される中央部と前記複数の丸主骨先端に固定される周縁とを備えると共に、前記複数の親骨及び複数の丸主骨の上部に張設される生布とを有することを特徴とする折畳み式エコ傘、を提供する。
【０００７】
本願の請求項２の考案は、前記保持装置は、２つの保持側壁と、前記生布へ向かうように、該２つの保持側壁の上部に夫々設けられる保持上面と、該２つの保持側壁に夫々貫穿される同軸の保持枢設孔とを備える断面コ字形を呈するものであり、
前記枢設装置は、前記２つの保持側壁の間に挟持される枢設部と、該枢設部の両側に夫々設けられ、前記２つの保持枢設孔に枢設される枢設軸とを有することを特徴とする請求項１に記載の折畳み式エコ傘、を提供する。
【０００８】
本願の請求項３の考案は、前記保持上面には、前記生布と親骨とを簡単に着脱できるようにするために、湾曲状の生布固定スリットが凹設されることを特徴とする請求項２に記載の折畳み式エコ傘、を提供する。
【０００９】
本願の請求項４の考案は、前記保持装置が前記親骨先端に取り付けられることを特徴とする請求項１乃至請求項３の何れか１項に記載の折畳み式エコ傘、を提供する。
【００１０】
本願の請求項５の考案は、前記枢設装置が前記丸主骨末端に取り付けられることを特徴とする請求項１乃至請求項３の何れか１項に記載の折畳み式エコ傘、を提供する。
【００１１】
本願の請求項６の考案は、前記保持装置が前記親骨先端と一体に成形されることを特徴とする請求項１乃至請求項３の何れか１項に記載の折畳み式エコ傘、を提供する。
【００１２】
本願の請求項７の考案は、前記枢設装置が前記丸主骨末端と一体に成形されることを特徴とする請求項１乃至請求項３の何れか１項に記載の折畳み式エコ傘、を提供する。
【００１３】
本願の請求項８の考案は、前記各丸主骨先端に夫々１つの露先が設けられ、
該露先に前記生布の周縁が固定されることを特徴とする請求項１乃至請求項３の何れか１項に記載の折畳み式エコ傘、を提供する。
【００１４】
本願の請求項９の考案は、前記保持装置が金属からなることを特徴とする請求項１乃至請求項３の何れか１項に記載の折畳み式エコ傘、を提供する。
【００１５】
本願の請求項１０の考案は、前記枢設装置が金属からなることを特徴とする請求項１乃至請求項３の何れか１項に記載の折畳み式エコ傘、を提供する。
【００１６】
本願の請求項１１の考案は、前記保持装置が樹脂からなることを特徴とする請求項１乃至請求項３の何れか１項に記載の折畳み式エコ傘、を提供する。
【００１７】
本願の請求項１２の考案は、前記枢設装置が樹脂からなることを特徴とする請求項１乃至請求項３の何れか１項に記載の折畳み式エコ傘、を提供する。
【００１８】
本願の請求項１３の考案は、前記保持装置がガラス繊維からなることを特徴とする請求項１乃至請求項３の何れか１項に記載の折畳み式エコ傘、を提供する。
【００１９】
本願の請求項１４の考案は、前記枢設装置がガラス繊維からなることを特徴とする請求項１乃至請求項３の何れか１項に記載の折畳み式エコ傘、を提供する。
【００２０】
本願の請求項１５の考案は、断面が円形でない筒状を呈する中棒と、
上部に形成される固定スロットと、前記中棒に挿入するように延出する延出部とを有する固定ロッドと、
前記延出部と共に前記中棒の内部に挿入されると共に、該中棒の内周壁に対応する形状を有する位置決めスリーブと、
前記固定ロッドの固定スロットに係合されるように延出し、下部に設けられる固定部と、外周壁に凹設され、放射状を呈する複数の嵌入溝と、該複数の嵌入溝の上部に夫々形成される上開口とを有する、円板状を呈する上ろくろ部材と、
中央に中央孔が貫穿され、前記上ろくろ部材の上部を被覆し、前記嵌入溝に枢設される親骨を固定させるように、前記上開口を封止する上ろくろリングと、
前記上ろくろ装置を前記中棒に取り付けるために、前記上ろくろ部材と上ろくろリングとを固定させるように、該上ろくろリングの中央孔を貫通し、該上ろくろ部材の軸心部と結合されるねじ込み軸と、を有する上ろくろ装置とを備えることを特徴とする請求項１乃至請求項３の何れか１項に記載の折畳み式エコ傘、を提供する。
【００２１】
本願の請求項１６の考案は、前記上ろくろ部材の軸心部にねじ孔が形成され、該ねじ孔に前記ねじ込み軸が螺入されることを特徴とする請求項１５に記載の折畳み式エコ傘、を提供する。
【００２２】
本願の請求項１７の考案は、前記ねじ込み軸が前記上ろくろ部材の軸心部と一体に成形されることを特徴とする請求項１５に記載の折畳み式エコ傘、を提供する。
【００２３】
本願の請求項１８の考案は、前記中棒の上端へ向かって延出し、摺動可能に前記中棒に取り付けられる下ろくろスリーブと、複数の位置決め孔を備える掛止面とを有し、摺動可能に前記中棒に取り付けられる係合部材と、
前記掛止面に掛止されるように、前記下ろくろスリーブに取り付けられ、複数の下ろくろ位置決め孔と、外周壁に設けられ、前記複数の受け骨末端を枢設するための複数の枢嵌溝とを備え、円盤状を呈する下ろくろ部材と、
前記下ろくろ部材の下ろくろ位置決め孔と前記掛止面の複数の位置決め孔に挿入される複数の位置決め足を備えると共に、前記下ろくろスリーブに取り付けられる下ろくろ蓋と、を有する下ろくろ装置を備えることを特徴とする請求項１乃至請求項３の何れか１項に記載の折畳み式エコ傘、を提供する。
【考案の効果】
【００２４】
本考案に係る折畳み式エコ傘は上記の課題を解決するものであり、環境保護に寄与するように、簡単に分離することができる。
【図面の簡単な説明】
【００２５】
【図１】本考案に係る折畳み式エコ傘の斜視図である。
【図２】本考案に係る折畳み式エコ傘の部分側面図である。
【図３】本考案に係る折畳み式エコ傘の親骨、丸主骨及び受け骨を示す斜視図である。
【図４】本考案に係る折畳み式エコ傘の親骨の分離斜視図である。
【図５】本考案に係る折畳み式エコ傘の親骨の側面断面図である。
【図６】本考案に係る折畳み式エコ傘の丸主骨の分離斜視図である。
【図７】本考案に係る折畳み式エコ傘の丸主骨の側面断面図である。
【図８】本考案に係る折畳み式エコ傘の丸主骨の他の実施例を示す斜視図である。
【図９】本考案に係る折畳み式エコ傘の受け骨の分離斜視図である。
【図１０】本考案に係る折畳み式エコ傘の受け骨の側面断面図である。
【図１１】本考案に係る折畳み式エコ傘の親骨、丸主骨及び生布の部分側面図である。
【図１２】本考案に係る折畳み式エコ傘の中棒及び上ろくろの実施例を示す分離斜視図である。
【図１３】本考案に係る折畳み式エコ傘の中棒及び上ろくろの他の実施例を示す分離斜視図である。
【図１４】本考案に係る折畳み式エコ傘の中棒及び下ろくろの実施例をしめす部分拡大斜視図である。
【図１５】本考案に係る折畳み式エコ傘の下ろくろの実施例を示す分離斜視図である。
【考案を実施するための形態】
【００２６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２７】
図１は本考案に係る折畳み式エコ傘の斜視図であり、図２は本考案に係る折畳み式エコ傘の部分側面図であり、図３は本考案に係る折畳み式エコ傘の親骨、丸主骨及び受け骨を示す斜視図であり、図４は本考案に係る折畳み式エコ傘の親骨の分離斜視図であり、図５は本考案に係る折畳み式エコ傘の親骨の側面断面図であり、図６は本考案に係る折畳み式エコ傘の丸主骨の分離斜視図であり、図７は本考案に係る折畳み式エコ傘の丸主骨の側面断面図であり、図８は本考案に係る折畳み式エコ傘の丸主骨の他の実施例を示す斜視図であり、図９は本考案に係る折畳み式エコ傘の受け骨の分離斜視図であり、図１０は本考案に係る折畳み式エコ傘の受け骨の側面断面図であり、図１１は本考案に係る折畳み式エコ傘の親骨、丸主骨及び生布の部分側面図であり、図１２は本考案に係る折畳み式エコ傘の中棒及び上ろくろの実施例を示す分離斜視図であり、図１３は本考案に係る折畳み式エコ傘の中棒及び上ろくろの他の実施例を示す分離斜視図であり、図１４は本考案に係る折畳み式エコ傘の中棒及び下ろくろの実施例をしめす部分拡大斜視図であり、図１５は本考案に係る折畳み式エコ傘の下ろくろの実施例を示す分離斜視図である。
【００２８】
図１及び図２に示すように、本考案に係る折畳み式エコ傘は、中棒（１０）と、上ろくろ装置（２０）と、下ろくろ装置（３０）と、複数の親骨（４０）と、複数の丸主骨（５０）と、複数の受け骨（６０）と、取っ手（７０）と、生布（８０）とを有するものである。
【００２９】
前記中棒（１０）は、上端と下端とを有するものである。前記中棒（１０）には、通常、少なくとも１つはじき（１１）が設けられる。さらに、前記中棒（１０）の上端を保護するため、例えばゴムからなる上端装置（１２）が前記中棒（１０）の上端に設けられても構わない。また、前記取っ手（７０）は、前記中棒（１０）の下端に設置されるものである。
【００３０】
前記上ろくろ装置（２０）は、前記中棒（１０）の上端近傍に設けられるものである。前記上ろくろ装置（２０）の外周壁に前記複数の親骨（４０）に対応する複数の嵌入溝が設けられることが好ましい。例えば図１２に示すように、前記上ろくろ装置（２０）は、固定ロッド（２１）と、位置決めスリーブ（２２）と、上ろくろ部材（２３）と、上ろくろリング（２４）と、ねじ込み軸（２５）とを有するものであってもよい。この実施例において、前記中棒（１０）は、断面が円形でない筒状を呈するものであり、前記固定ロッド（２１）は、上部に形成される固定スロット（２１２）と、前記中棒（１０）に挿入するように延出する延出部（２１１）とを有するものであり、また、前記位置決めスリーブ（２２）は、前記延出部（２１１）と共に前記中棒（１０）の内部に挿入されると共に、該中棒（１０）の内周壁に対応する形状を有するものである。
さらに図１及び図２に示すように、前記上ろくろ部材（２３）は、軸心部に形成されるねじ孔（２３１）と、前記固定ロッド（２１）の固定スロット（２１２）に係合されるように延出し、下部に設けられる固定部（２３２）と、外周壁に凹設され、放射状を呈する複数の嵌入溝（２３３）と、該複数の嵌入溝（２３３）の上部に夫々形成される上開口（２３４）とを有する、円板状を呈するものである。
前記上ろくろリング（２４）は、中央に中央孔（２４１）が貫穿され、前記上ろくろ部材（２３）の上部を被覆し、前記嵌入溝（２３３）に枢設される親骨（４０）を固定させるように、前記上開口（２３４）を封止するものである。
前記ねじ込み軸（２５）は、前記上ろくろ装置（２０）を前記中棒（１０）に取り付けるために、前記上ろくろ部材（２３）と上ろくろリング（２４）とを固定させるように、該上ろくろリング（２４）の中央孔（２４１）を貫通し、該上ろくろ部材（２３）の軸心部に形成されるねじ孔（２３１）に螺入されるものである。
【００３１】
図１３に示すように、本考案において、他の実施態様を呈する構成を有する上ろくろ装置（２０Ａ）を用いてもよい。前記上ろくろ装置（２０Ａ）は、固定ロッド（２１Ａ）と、位置決めスリーブ（２２Ａ）と、上ろくろ部材（２３Ａ）と、上ろくろリング（２４Ａ）と、ねじ込み軸（２５Ａ）とを有するものであってもよい。前記固定ロッド（２１Ａ）は、上部に形成される固定スロット（２１２Ａ）と、前記中棒（１０Ａ）に挿入されるように延出される延出部（２１１Ａ）とを有するものであり、また、前記位置決めスリーブ（２２Ａ）は、前記延出部（２１１Ａ）と共に前記中棒（１０Ａ）の内部に挿入されることができるように、前記中棒（１０Ａ）の内周壁に対応する形状を有するものである。
前記上ろくろ部材（２３Ａ）は、前記固定ロッド（２１Ａ）の固定スロット（２１２Ａ）に係合されるように延出され、下部に設けられる固定部（２３２Ａ）と、外周壁に凹設され、放射状を呈する複数の嵌入溝（２３３Ａ）と、夫々前記複数の嵌入溝（２３３Ａ）の上部に形成される上開口（２３４Ａ）とを有する、円板状を呈するものである。
前記上ろくろリング（２４Ａ）は、中央に中央孔（２４１Ａ）が貫穿され、前記上ろくろ部材（２３Ａ）の上部を被覆し、前記嵌入溝（２３３Ａ）に枢設される親骨（４０Ａ）を固定させるように、前記上開口（２３４Ａ）を封止するものである。
前記ねじ込み軸（２５Ａ）は、前記上ろくろ装置（２０Ａ）を前記中棒（１０Ａ）に取り付けるため、前記上ろくろ部材（２３Ａ）と前記上ろくろリング（２４Ａ）とを固定させるように、前記上ろくろリング（２４Ａ）の中央孔（２４１Ａ）を貫通し、前記上ろくろ部材（２３Ａ）の軸心部と一体に成形されるものである。
【００３２】
上述した通り、前記ねじ込み軸（２５）を前記上ろくろ部材（２３）の軸心部に形成されるねじ孔（２３１）に螺入させ、前記ねじ込み軸（２５）と前記上ろくろ部材（２３）の軸心部とを結合させることができるが、他の実施例において、前記ねじ込み軸（２５Ａ）を前記上ろくろ部材（２３Ａ）の軸心部と一体に成形させてもよい。これら異なる構成を有する実施例は何れも本考案の範囲内のものである。
【００３３】
前記下ろくろ装置（３０）は、摺動可能に前記中棒（１０）に取り付けられ、前記上ろくろ装置（２０）と前記中棒（１０）の下端に位置するものである。前記下ろくろ装置（３０）は、使用時、前記中棒（１０）のはじき（１１）に掛止されることができるものであってもよい。
【００３４】
図１４及び図１５に示すように、前記下ろくろ装置（３０）は、係合部材（３４）と、下ろくろ部材（３２）と、下ろくろ蓋（３３）とを有するものであることが好ましい。
前記係合部材（３４）とは、前記中棒（１０）の上端へ向かって延出し、摺動可能に前記中棒（１０）に取り付けられる下ろくろスリーブ（３１）と、複数の位置決め孔（３４２）を備える掛止面（３４３）とを有し、摺動可能に前記中棒（１０）に取り付けられるものである。
前記下ろくろ部材（３２）は、前記掛止面（３４３）に掛止されるように、前記下ろくろスリーブ（３１）に取り付けられ、複数の下ろくろ位置決め孔（３２２）と、外周壁に設けられ、前記複数の受け骨末端（６１）を枢設させるための複数の枢嵌溝（３２１）とを備え、円盤状を呈するものである。
前記下ろくろ蓋（３３）は、前記下ろくろ部材（３２）の下ろくろ位置決め孔（３２２）と前記掛止面（３４３）の複数の位置決め孔（３４２）に挿入される複数の位置決め足（３３１）を備えると共に、前記下ろくろスリーブ（３１）に取り付けられるものである。
【００３５】
具体的には、各前記枢嵌溝（３２１）は、前記下ろくろ部材（３２）の外周壁に凹設され、前記受け骨（６０）を枢設させるためのものであり、例えば、前記上ろくろ部材（２３）の嵌入溝（２３３）と同じ構成を有するものであってもよい。即ち、各前記枢嵌溝（３２１）には、前記受け骨（６０）を嵌入させるための枢嵌下開口が設けられ、さらに、前記下ろくろ蓋（３３）は、前記枢嵌溝（３２１）に嵌入された前記受け骨（６０）を固定するため、前記係止面（３４３）が前記枢嵌溝（３２１）の枢嵌下開口を封止するように、前記下ろくろ部材（３２）を被覆される。
【００３６】
図３に示すように、前記複数の親骨（４０）と、複数の丸主骨（５０）と、複数の受け骨（６０）とは、開閉可能な傘の骨組みを構成するものである。前記生布（８０）を前記骨組みに張設させることにより、雨をしのぎ、日差しを避ける効果を提供することができる。
【００３７】
図２乃至図５に示すように、各前記親骨（４０）は、前記上ろくろ装置（２０）に枢設される親骨末端（４１）と、親骨先端（４２）と、枢設部材（４３）と、前記親骨先端（４２）に設けられる保持装置（４４）とを有するものである。前記保持装置（４４）は、２つの保持側壁（４４２）と、前記生布（８０）へ向かうように、該２つの保持側壁（４４２）の上部に夫々設けられる保持上面（４４３）と、該２つの保持側壁（４４２）に夫々貫穿される同軸の保持枢設孔（４４４）とを備える断面コ字形を呈するものである。
【００３８】
また、前記保持上面（４４３）には、前記生布（８０）と親骨（４０）とを簡単に着脱できるようにするために、湾曲状の生布固定スリット（４４５）が凹設されることが好ましい。
【００３９】
前記保持装置（４４）は前記親骨先端（４２）に取り付けられ、又は前記親骨先端（４２）と一体に成形されるものであってもよい。
【００４０】
前記保持装置（４４）は例えば金属材料、樹脂材料またはガラス繊維材料などの材料からなるものであってもよい。前記保持装置（４４）が前記親骨先端（４２）に取り付けられる実施例において、前記保持装置（４４）と前記親骨（４０）とは別種類の材料からなるものであってもかまわない。廃棄時に便利的に前記別種類の材料からなる部分を分離し、環境保護に寄与できるように、リサイクルすることができる。
【００４１】
図２、図３、図６及び図７に示すように、各前記丸主骨（５０）は、丸主骨末端（５１）と、丸主骨先端（５２）と、前記保持装置（４４）に着脱可能に取り付けられるように前記丸主骨末端（５１）に枢設けられる枢設装置（５４）とを有するものである。前記枢設装置（５４）は、前記２つの保持側壁（４４２）の間に挟持される枢設部（５４１）と、該枢設部（５４１）の両側に夫々設けられ、前記２つの保持枢設孔（４４４）に枢設される枢設柱（５４４）とを有するものである。これにより、前記保持装置（４４）と前記枢設装置（５４）は、前記丸主骨（５０）を前記親骨（４０）に対して回転させることができる関節を構成する。
【００４２】
また、前記枢設装置（５４）は前記丸主骨末端（５１）に取り付けられ、又は前記丸主骨末端（５１）と一体に成形されるものであってもよい。さらに、前記各丸主骨先端（５２）に夫々１つの露先（５３）が設けられ、該露先（５３）に前記生布（８０）の周縁が固定されてもよい。前記露先（５３）により、前記丸主骨先端（５２）が人に怪我をさせることを防止することができる。
【００４３】
前記枢設装置（５４）は例えば金属材料、樹脂材料またはガラス繊維材料などの材料からなるものであってもよい。前記枢設装置（５４）が前記丸主骨末端（５１）に取り付けられる実施例において、前記枢設装置（５４）と前記丸主骨（５０）とは別種類の材料からなるものであってもかまわない。廃棄時に便利的に前記別種類の材料からなる部分を分離し、環境保護に寄与できるように、リサイクルすることができる。
【００４４】
また、前記枢設装置（５４）は前記保持装置（４４）に着脱可能に取り付けられるものであるので、廃棄時に、前記枢設装置（５４）と前記保持装置（４４）とを便利的に分離させ、環境保護に寄与できるように、リサイクルすることができる。
【００４５】
図８に示すように、本発明において、丸主骨（５０Ａ）と枢設装置（５４Ａ）とが共に金属材料からなるものであってもよい。この実施例において、前記枢設装置（５４Ａ）は前記丸主骨（５０Ａ）の末端に取り付けられるものである。また、前記丸主骨（５０Ａ）は、前記枢設装置（５４Ａ）と同様の金属材料からなるものであってもよいが、前記枢設装置（５４Ａ）と異なる金属材料からなるものであっても構わない。前記丸主骨（５０Ａ）と前記枢設装置（５４Ａ）とが異なる金属材料からなるものである時、前記枢設装置（５４Ａ）と前記丸主骨（５０Ａ）とを廃棄時には、便利的に前記枢設装置（５４Ａ）と前記丸主骨（５０Ａ）とを分離させ、環境保護に寄与できるように、リサイクルすることができる。また、前記丸主骨（５０Ａ）の先端に露先（５３）が設けられても構わない。
【００４６】
図２、図３、図９及び図１０に示すように、各前記受け骨（６０）は、前記下ろくろ装置（３０）に枢設される受け骨末端（６１）と、前記枢設部材（４３）に枢設される受け骨先端（６２）とを有するものである。前記受け骨末端（６１）と受け骨先端（６２）は同じ構成を有するものであってもよい。例えば、前記受け骨末端（６１）と受け骨先端（６２）に夫々同様サイズの枢設軸（６１１）（６２１）が設けられ、前記枢設部材（４３）には前記枢設軸（６１１）（６２１）と対応する枢設スロットが設けられることが好ましい。
【００４７】
図１１に示すように、前記生布（８０）は、前記中棒（１０）に固定される中央部と前記複数の丸主骨先端（５２）に固定される周縁とを備えると共に、前記複数の親骨（４０）及び複数の丸主骨（５０）の上部に張設されるものである。通常、前記生布（８０）は、中央部が前記中棒（１０）の構成により挟持されると共に、周辺が丸主骨先端（５２）に縫着されるものである。さらに、前記親骨（４０）に対して回転する前記丸主骨（５０）と共に、前記生布（８０）をキレイに折り畳むことができるようにするため、前記生布（８０）を前記親骨先端（４２）または前記丸主骨末端（５１）に縫着させても構わない。
【００４８】
前記保持装置（４４）の保持上面（４４３）に生布固定スリット（４４５）が凹設される実施例において、糸（８１）を以って前記生布（８０）を前記生布固定スリット（４４５）に縫着させてもよい。これにより、前記親骨（４０）に対して回転する前記丸主骨（５０）と共に、前記生布（８０）を、キレイに折り畳むことができるだけでなく、前記糸（８１）を生布固定スリット（４４５）から取り外せば、簡単且つ快速に前記生布（８０）と前記親骨（４０）とを分離させることができる。
【産業上の利用可能性】
【００４９】
本考案は上記の構成を有するので、環境保護に寄与するように、簡単に分離することができる折畳み式エコ傘を提供することができる。
【符号の説明】
【００５０】
１０      中棒
１０Ａ    中棒
１１      はじき
１２      上端装置
２０      上ろくろ装置
２０Ａ    上ろくろ装置
２１      固定ロッド
２１１    延出部
２１１Ａ  延出部
２１２    固定スロット
２１２Ａ  固定スロット
２１Ａ    固定ロッド
２２      位置決めスリーブ
２２Ａ    位置決めスリーブ
２３      上ろくろ部材
２３１    ねじ孔
２３２    固定部
２３２Ａ  固定部
２３３    嵌入溝
２３３Ａ  嵌入溝
２３４    上開口
２３４Ａ  上開口
２３Ａ    上ろくろ部材
２４      上ろくろリング
２４１    中央孔
２４１Ａ  中央孔
２４Ａ    上ろくろリング
２５      ねじ込み軸
２５Ａ    ねじ込み軸
３０      下ろくろ装置
３１      下ろくろスリーブ
３２      下ろくろ部材
３２１    枢嵌溝
３２２    下ろくろ位置決め孔
３３      下ろくろ蓋
３３１    位置決め足
３４      係合部材
３４２    位置決め孔
３４３    掛止面
４０      親骨
４０Ａ    親骨
４１      親骨末端
４２      親骨先端
４３      枢設部材
４４      保持装置
４４２    保持側壁
４４３    保持上面
４４４    保持枢設孔
４４５    生布固定スリット
５０      丸主骨
５０Ａ    丸主骨
５１      丸主骨末端
５２      丸主骨先端
５３      露先
５４      枢設装置
５４１    枢設部
５４４    枢設軸
５４Ａ    枢設装置
６０      受け骨
６１      受け骨末端
６１１    枢設軸
６２      受け骨先端
６２１    枢設軸
７０      取っ手
８０      生布
８１      糸
【図３】
0003154219.tif 000003
【図４】
0003154219.tif 000004
【図５】
0003154219.tif 000005
【図９】
0003154219.tif 000006
【図１３】
0003154219.tif 000007
【図１】
0003154219.tif 000008
【図２】
0003154219.tif 000009
【図６】
0003154219.tif 000010
【図７】
0003154219.tif 000011
【図８】
0003154219.tif 000012
【図１０】
0003154219.tif 000013
【図１１】
0003154219.tif 000014
【図１２】
0003154219.tif 000015
【図１４】
0003154219.tif 000016
【図１５】
0003154219.tif 000017